(57)【要約】      （修正有）【課題】ジャイロの回転速度を十分に高めることができるコマ玩具を提供する。【解決手段】ジャイロを囲う殻体２０にジャイロの軸を回転自在に支持させ、該軸にピニオンを一体に配設するとともに、殻体２０の前記ピニオンに対応する部位に孔を貫設したコマ本体２と、前記孔に挿通させて前記ピニオンに噛合するラックを側面に有するラック竿３とを備え、ピニオンと殻体２０との間に働く摩擦力で殻体２０を回転させるようにしたことを特徴とする。【選択図】図１
0003144436.tif 000002
【実用新案登録請求の範囲】
【請求項１】
ジャイロを構成するフライホイールを囲う殻体内において該フライホイールの軸が回転自在に支持され、該軸にピニオンが固定され、該殻体の前記ピニオンに対応する部位に孔が貫設されたコマ本体と、
前記孔を通して少なくとも一部が挿入可能で、挿入状態で前記ピニオンに噛合可能なラックを側面に有し、該ピニオンに該ラックを噛合させた状態から引き出すことによって前記フライホイールに回転力を付与するラック竿と、を備え、
前記殻体内には、該殻体と一体的に構成され、前記ピニオンの端面に対向し、重力によって該ピニオンの端面が圧接される当接部が設けられ、
前記フライホイールが回転した際に前記ピニオンの端面と該ピニオンの端面が圧接された前記当接部との間に作用する摩擦力によって前記殻体が前記軸を中心に回転するように構成されていることを特徴とするコマ玩具。
【請求項２】
前記殻体は正立姿勢及び逆立姿勢で回転自在に構成され、いずれか一方の姿勢のときに前記ピニオンの端面と該ピニオンの端面が圧接された前記当接部との間に作用する摩擦力によって前記殻体が前記軸を中心に回転するように構成され、他方の姿勢のときに前記軸と該軸を支持し軸方向荷重を受ける軸受との間に作用する摩擦力によって前記殻体が前記軸を中心に回転するように構成されていることを特徴とする請求項１に記載のコマ玩具。
【請求項３】
前記殻体は、前記フライホイール及び前記軸を囲う内ケースと、該内ケースを囲う外郭ケースとによって構成され、
前記内ケースは、前記フライホイールを囲う大径円筒のホイールケース部分と、該ケース部分の端面中央から上下方向に突設され、前記軸を囲う小径円筒の軸ケース部分とによって構成され、
前記外郭ケースは、少なくとも上下に２分割され、それらの分割部分が前記内ケースに着脱自在に組み付けられていることを特徴とする請求項１又は２に記載のコマ玩具。
【請求項４】
前記軸ケース部分には環状溝が形成される一方で、
前記外郭ケースは、
内面に舌片が突設され、該舌片の先端に前記軸ケース部分に嵌合可能な孔が形成された嵌合パーツと、前記環状溝に前記軸ケース部分の半径方向外方から係合可能なスリットが形成された楔パーツとを備えることを特徴とする請求項３に記載のコマ玩具。
【考案の詳細な説明】
【技術分野】
【０００１】
本考案は、コマ玩具に関するもので、詳しくは、ジャイロを使用したコマ玩具に関するものである。
【背景技術】
【０００２】
ジャイロを使用したコマ玩具は、例えば、特許文献１に開示されたものがある。
このコマ玩具は、玩具本体にジャイロの軸を貫設し、該軸の先端にゴムローラを装着して構成され、該ゴムローラをテーブル等の平らな面に押し付け、該ローラを面と平行な方向へ移動させることによってジャイロを回転させるようになっている。
【特許文献１】特開平９−３２２９８４号公報（図１及び図４参照）
【考案の開示】
【考案が解決しようとする課題】
【０００３】
ところで、上記コマ玩具は、軸の先端のゴムローラをテーブル等に押し付けて移動させることによってジャイロを回転させるように構成されているので、ジャイロの回転速度を高めることには限界がある。
【０００４】
本考案は、ジャイロの回転速度を十分に高めることができるコマ玩具を提供することを目的とする。
【課題を解決するための手段】
【０００５】
請求項１の考案は、
ジャイロを構成するフライホイールを囲う殻体内において該フライホイールの軸が回転自在に支持され、該軸にピニオンが固定され、該殻体の前記ピニオンに対応する部位に孔が貫設されたコマ本体と、
前記孔を通して少なくとも一部が挿入可能で、挿入状態で前記ピニオンに噛合可能なラックを側面に有し、該ピニオンに該ラックを噛合させた状態から引き出すことによって前記フライホイールに回転力を付与するラック竿と、を備え、
前記殻体内には、該殻体と一体的に構成され、前記ピニオンの端面に対向し、重力によって該ピニオンの端面が圧接される当接部が設けられ、
前記フライホイールが回転した際に前記ピニオンの端面と該ピニオンの端面が圧接された前記当接部との間に作用する摩擦力によって前記殻体が前記軸を中心に回転するように構成されていることを特徴とするコマ玩具である。
ここで「殻体と一体的に構成され」とは殻体と動静を同じくするという意味である。
【０００６】
請求項２の考案は、請求項１に記載のコマ玩具であって、前記殻体は正立姿勢及び逆立姿勢で回転自在に構成され、いずれか一方の姿勢のときに前記ピニオンの端面と該ピニオンの端面が圧接された前記当接部との間に作用する摩擦力によって前記殻体が前記軸を中心に回転するように構成され、他方の姿勢のときに前記軸と該軸を支持し軸方向荷重を受ける軸受との間に作用する摩擦力によって前記殻体が前記軸を中心に回転するように構成されていることを特徴とする。
【０００７】
請求項３の考案は、請求項１又は２に記載のコマ玩具であって、
前記殻体は、前記フライホイール及び前記軸を囲う内ケースと、該内ケースを囲う外郭ケースとによって構成され、
前記内ケースは、前記フライホイールを囲う大径円筒のホイールケース部分と、該ケース部分の端面中央から上下方向に突設され、前記軸を囲う小径円筒の軸ケース部分とによって構成され、
前記外郭ケースは、少なくとも上下に２分割され、それらの分割部分が前記内ケースに着脱自在に組み付けられていることを特徴とする。
【０００８】
請求項４の考案は、請求項３に記載のコマ玩具であって、
前記軸ケース部分には環状溝が形成される一方で、
前記外郭ケースは、
内面に舌片が突設され、該舌片の先端に前記軸ケース部分に嵌合可能な孔が形成された嵌合パーツと、前記環状溝に前記軸ケース部分の半径方向外方から係合可能なスリットが形成された楔パーツとを備えることを特徴とする。
【考案の効果】
【０００９】
請求項１の考案によれば、ラック竿を引くことによってフライホイールを回転させるので、殻体の回転速度を十分に高めることができる。一方で、ピニオンの端面とそれに対向する当接部との間に作用する摩擦力によって殻体を回転させているので、殻体の回転速度をより高めることができる。その結果、例えば、コマ玩具同士によるバトル遊戯に使用することができる。さらに、フライホイールが殻体内に設けられ剥きだしとなっていないため、フライホイールの向きを気にせずラック竿を殻体に挿通し、引き出すことができるので、その取扱いが頗る便利なものとなる。
【００１０】
請求項２の考案によれば、正立姿勢及び逆立姿勢のいずれか一方の姿勢の時には殻体を勢いよく回転させ、他方の姿勢の時にはゆっくりと回転させるなど、変化に富んだコマ玩具が実現できる。
【００１１】
請求項３の考案によれば、フライホイールが収容された内ケースをそのままにして、外郭ケースを交換することができ、各種形象物の外郭ケースを用意することによって、変化を楽しむことができる。
【００１２】
請求項４の考案によれば、楔部材を内ケースの環状溝に係合させるだけで、外郭ケースを内ケースに係合させることができるので、外郭ケースの着脱が容易になる。
【考案を実施するための最良の形態】
【００１３】
以下に、本考案に係るコマ玩具を、図面を参照しながら説明する。
図１は本考案に係るコマ玩具の外観を示した斜視図、図２はそのコマ玩具の分解斜視図、図３はそのコマ玩具の縦断面図である。
【００１４】
コマ玩具１は、コマ本体２と、該コマ本体のジャイロを回転させるラック竿３とによって構成されている。コマ本体２は、ジャイロ１０と、該ジャイロを囲う殻体２０とによって構成されている。そして、殻体２０は、内ケース２１と、該内ケース２１を囲う外郭ケース２２とによって構成されている。
【００１５】
ジャイロ１０は、フライホイール１１と、該フライホイールの上面及び下面の中心に立設された上部軸１２、下部軸１３とによって構成されている。このフライホイール１１及び軸１２，１３は金属によって製造されている。そして、上部軸１２の端は尖端１２ａとなっており、下部軸１３にはピニオン１４が固設されている。なお、上部軸１２及び下部軸１３とは一体であっても良いことは勿論である。
【００１６】
殻体２の内ケース２１は、ジャイロ１０のフライホイール１１を囲う大径円筒のフライホイールケース部分２３と、該ホイールケース部分の上面中心部から上方向に突設され、上部軸１３を囲う小径円筒の上部軸ケース部分２４と、フライホイールケース部分２３の下面中心部から下方向に突設され、ピニオン１４を囲う中径円筒のピニオンケース部分２５と、該ピニオンケース部分２５の下面中心部から下方に突設され、下部軸１３を囲う小径円筒の下部軸ケース部分２６とを備えている。この内ケース２１は、フライホイールケース部分２３で、上下に２分割されて形成され、内部にジャイロ１０を収容させた後に、接着等によって互いに接合される。
【００１７】
また、内ケース２１のピニオンケース部分２５と下部軸ケース部分２６との間には、図３に示すような隔壁２７が形成されている。この隔壁２７の中心には軸孔２９が形成されている。そして、ジャイロ１０の下部軸１３は、この隔壁２７の軸孔２９に挿通されている。一方、上部軸ケース部分２４の内部上端には、金属製の軸受ブッシュ３０が配設されている。そして、ジャイロ１０の上部軸１２の尖端１２ａは、この軸受ブッシュ３０に形成されたテーパ状凹部の軸受３０ａに支持されている。
【００１８】
また、内ケース２１におけるピニオンケース部分２５の周壁には切欠き３１が形成され、該切欠き３１を介してピニオン１４がケース外に露出されている。また、フライホイールケース部分２３の下面には、ラック竿３を切欠き３１に案内するガイド壁３２が形成されている。
【００１９】
なお、内ケース２１における軸ケース部分２４，２６の端部外周面には環状溝３３，３４が形成されている。
【００２０】
殻体２の外郭ケース２２は、内ケース２１のフライホイールケース部分２１を囲う環状の中段ケース部分３５と、上部軸ケース部分２４を囲う上段ケース部分３６と、ピニオンケース部分２５及び下部軸ケース部分２６を囲う下段ケース部分３７とを備えている。
【００２１】
上段ケース部分３６は、複数のパーツ、具体的には頭部３６ａと、顔部３６ｂと、後頭部を成す楔部材３６ｃとによって構成されている。顔部３６ｂの後面には、舌片３８が形成され、この舌片３８には、内ケース２１の上部軸ケース部分２４に嵌合させる孔３９が形成されている。顔部３６ｂは頭部３６ｂの前面に接着される。また、楔部材３６ｃは尖端３６ｄを有している。この尖端３６ｄは無くても良い。楔部材（楔パーツ）３６ｃは環状溝３３に軸ケース部分２４の半径方向外方から係合可能なスリットを有している。
頭部３６ａ、顔部３６ｂ及び楔部材３６ｃは内ケース２１の上部に組み付けられるが、顔部３６ｂは頭部３６ｂに必ずしも接着される必要はなく、頭部３６ｂが顔部３６ｂと楔部材３６ｃとの間で挟持されるようになっていても良い。
【００２２】
下段ケース部分３７は、略半球形の主部３７ａと楔部材３７ｂとを備えている。主部３７ａには両側壁上部開口に切欠き４０，４１が形成され、後部に孔４２が形成されている。この主部３７ａの内面には、舌片４３が形成され、該舌片４３には、内ケース２１の下部軸ケース部分２６に嵌合させる孔４４が形成されている。また、楔部材３７ｃは尖端３６ｄを有している。この尖端３６ｄは無くても良い。楔部材（楔パーツ）３７ｃは環状溝３４に軸ケース部分２６の半径方向外方から係合可能なスリットを有している。
【００２３】
そして、下段ケース部分３７の舌片４３の孔４４に内ケース２１の下部軸ケース部分２６を嵌合させ、該下部軸ケース部分２６の環状溝３４に楔部材３７を挿嵌させることによって、下段ケース部分３７を内ケース２１に係止させる。そして、下段ケース部分３７の切欠き４０に腕部材４５の基部を嵌合させた後、中段ケース部分３５を、内ケース２１のフライホイールケース部分２３に嵌合させて、下段ケース部分３７上に当接させる。その後に、顔部３６ｂの舌片３８の孔３９を内ケース２１の上部軸ケース部分２４に嵌合させ、顔部３６ｂを中段ケース部分３５に載置させ、楔部材３６ｃを上部軸ケース部分２４の環状溝３３に挿嵌させることによって、上段ケース部分３６を内ケース２１に係止させる。
なお、顔部３６ｂが頭部３６ａに接着されている場合には、顔部３６ｂ及び頭部３６ａの組付けは一体的に行われるが、顔部３６ｂが頭部３６ａに接着されていない場合には、顔部３６ｂ、頭部３６ａ及び楔部材３６ｃの順序で、或いは顔部３６ｂ、楔部材３６ｃ及び頭部３６ａの順序で組み付けられる。
【００２４】
このようにして組み付けられたコマ玩具１では、コマ本体２を逆さにして、外郭ケース２２の切欠き４１を介してラック竿３を挿入すると、ラック竿３は、内ケース２１のガイド壁３２によって切欠き３１まで案内され、ラック３ａがピニオン１４に噛合する。そして、ラック竿３を引くと、ジャイロ１０が高速で回転されることになる。
この状態で、コマ本体２を床等に置くと、コマ本体２はその姿勢を保ちながら、殻体２０が回転されることになる。
この場合、ピニオン１４がフライホイール１１の下側になるように正立させて床等に置くと、ピニオン１４の端面と隔壁２７との間に摩擦力が作用するので勢いよくコマ本体２が回転することとなる。
【００２５】
一方、このコマ玩具１では、コマ本体２を逆さにして床等に置けば、ピニオン１４が内ケース２１の隔壁２７から離反し、上部軸１２の尖端１２ａと軸受ブッシュ３０のテーパ状凹部の軸受３０ａとの摩擦力によってコマ本体２が回転するが、この場合の摩擦力は比較的に小さいためコマ本体２はゆっくりと回転することとなる。
【００２６】
以上、本考案の実施形態のコマ玩具について説明したが、本考案は、かかる実施形態に限定されるものでなく、その要旨を逸脱しない範囲で種々変形可能であることは言うまでもない。
例えば、上記実施形態では、コマ本体２を成立させたときだけ、ピニオン１４の端面と隔壁２７とに大きな摩擦力が作用するようにしたが、ピニオン１４の上下に隔壁等の固定部を設けて、逆さにした場合にもピニオン１４と固定部との間に作用する摩擦力を利用してコマ本体を回転させるようにしても良い。
また、本考案の変形例ではあるが、フライホイール１１と固定部との間に摩擦力を生じさせるようにして殻体を回転させるようにしても良い。或いは、フライホイール１１の軸に別途回転体を設け、回転体の端面と殻体の固定部との間に摩擦力を生じさせるようにして殻体を回転させるようにしても良い。
【図面の簡単な説明】
【００２７】
【図１】本考案に係るコマ玩具の外観を示した斜視図である。
【図２】図１に示したコマ玩具の分解斜視図である。
【図３】図１に示したコマ玩具の縦断面図である。
【符号の説明】
【００２８】
１    コマ玩具
２    コマ本体
３    ラック竿
１１    フライホイール
１２    上部軸
１３    下部軸
１４    ピニオン
２０    殻体
２１    内ケース
２２    外郭ケース
２３    フライホイールケース部分
２４    上部軸ケース部分
２６    下部軸ケース部分
２７    隔壁（当接部）
３０ａ    軸受
【図１】
0003144436.tif 000003
【図２】
0003144436.tif 000004
【図３】
0003144436.tif 000005